(57)【特許請求の範囲】
【請求項１】
所定の軸方向長に形成されたコアと、該コアの周囲に装着されたコイルとを有し、光磁気ディスクに対してシーク方向であるラジアル方向および該ラジアル方向とは直交する方向であるタンジェンシャル方向にそれぞれ移動可能になった磁気ヘッドであって、
該コアの断面形状が、前記ラジアル方向に長い６角形、７角形、８角形のいずれかに形成されており、
前記コアの断面形状において、一対の辺が他の辺よりも短い短辺となっており、該短辺のそれぞれが、前記タンジェンシャル方向に沿って平行であることを特徴とする磁気ヘッド。
【請求項２】
前記各短辺間の距離が０．３０ｍｍ〜０．４０ｍｍ、各短辺の長さが０．０８ｍｍ〜０．１２ｍｍに設定されている請求項１に記載の磁気ヘッド。
【発明の詳細な説明】
【０００１】
【発明の属する技術分野】
本発明は、光磁気記録媒体に記録された情報を書き換え、消去等するために、光磁気記録媒体に対して所定の磁束を印加する磁気ヘッドに関する。
【０００２】
【従来の技術】
光磁気ディスクは、記録された情報の書き換え、消去が容易であり、且つ、携帯性に優れているという利点を有し、しかも大容量の情報の記憶が可能なディスクとして注目されており、近年になって、磁界変調方式を用いたＭＤ（ミニディスク）の普及が特に著しい。
【０００３】
図３は、光磁気ディスク装置の概略構成を示しており、（ａ）は平面図、（ｂ）は（ａ）のＡ−Ａ’線に沿う断面図を示している。
【０００４】
この光磁気ディスク装置は、薄型の筐体に形成されたカートリッジ７を有している。カートリッジ７の内部は中空になっており、その内部には、円盤状の光ディスク１が回転自在に支持されている。カートリッジ７の下方には、光ディスク１上の所定の位置にレーザ光を照射するための光ピックアップ４が設けられており、この光ピックアップ４上には、光ピックアップ４から光ディスク１に照射される光の位置を、光ディスク１における所定の直径方向に沿ったラジアル方向及び光ディスク１の半径方向に垂直な方向に沿ったフォーカス方向のそれぞれに微小に変位させて、光ディスク１の表面に追従させる対物レンズアクチュエータ５が設けられている。
【０００５】
また、光ピックアップ４には、磁気ヘッドアーム６が取り付けられている。磁気ヘッドアーム６は、カートリッジ７の下面に沿った状態からカートリッジ７の側面に沿って上方に屈曲されており、さらに、カートリッジ７の上面に沿うように屈曲されている。そして、カートリッジ７の上方に位置する磁気ヘッドアーム６の先端には、サスペンション３を介して、光ピックア
【０００６】
図４は、磁気ヘッド２の斜視図、図５（ａ）は、図５のＸ方向の斜視図であり、図５（ｂ）はその分解図である。磁気ヘッド２は、中空直方体状のスライダー部８を有しており、スライダー部８の内部にヘッド本体部１１が設けられている。スライダー部８の下面は、光ディスク１上を摺動する摺動面になっている。スライダー部８内に収容されたヘッド本体部１１は、板体の平板部９と、この平板部９の表面の中央部上に垂直に支持された柱状のコア１２とを有しており、コア１２の周囲には、導線を巻回して構成されたコイル１０が装着されている。
【０００７】
この磁気ヘッド２のコイル１０に通電すると、磁界は、主として、磁気ヘッド１に対向したコア１２の先端部分から発生される。コア１２の先端部から発生された磁界は、記録される記録信号に応じて磁界発生方向が反転される。これにより、光ディスク１上に記録信号が記録される。
【０００８】
この磁気ヘッド２のスライダー部８は、通常、光ディスク１の面振れ、光ディスク１上の塵埃、凹凸等に追従可能とするため、３０〜１００μｍの厚さを有する薄型の金属により形成されたサスペンション３により、光ディスク１の表面に対して３〜１０ｍＮの予圧が負荷された状態で摺動している。このサスペンション３は、磁気ヘッドアーム６の先端に取り付けられて固定されている。
【０００９】
磁気ヘッド２は、対物レンズアクチュエータ５が移動することによりレーザスポットが移動する全ての範囲内において、記録のために必要な強度の磁界（例えば、１００〜３００Ｏｅ）を発生する必要がある。
【００１０】
したがって、磁気ヘッド２のコア１２の寸法は、ラジアル方向については、（Ａ）コア１２の加工精度、（Ｂ）対物レンズアクチュエータ５がラジアル方向に可動した時の光ピックアップ４との相対位置ずれ量の最大値、（Ｃ）レーザスポットとコア１２の位置合わせ精度、（Ｄ）その他の各要素に基づいて決定しなければならない。
【００１１】
また、一方、タンジェンシャル方向については、（Ａ’）コア１２の加工精度、（Ｂ’）光ディスク１の高さが上下する事によるコア１２の位置のシフト、（Ｃ’）レーザスポットとコア１２の位置合わせ精度、（Ｄ’）その他の各要素に基づいて決定しなければならない。
【００１２】
ラジアル方向に関して、光ディスク１を回転駆動するスピンドルモータ（図４において図示せず）の軸振れによる光ディスク１のトラック偏心、対物レンズアクチュエータ５のレンズシフト等により、（Ｂ）の光ディスク１に対するコア１２のシフトにより考慮されるべき寸法は、タンジェンシャル方向についての（Ｂ’）によって考慮されるべき寸法よりも大きな値になる。
【００１３】
その結果、磁気ヘッド２のコア１２は、ラジアル方向については、上記の（Ａ）〜（Ｄ）に基づき、０．３ｍｍ〜０．４ｍｍの寸法を有する必要がある。また、タンジェンシャル方向については、上記の（Ａ’）〜（Ｄ’）に基づき、０．０８ｍｍ〜０．１２ｍｍの寸法を有する必要がある。
【００１４】
このため、コア１２の寸法は、一般的に、ラジアル方向の寸法に比べてタンジェンシャル方向の寸法は小さくて済む。しかし、実際上、このような小さい寸法において、縦横比が大きく異なるようにコア１２を加工することは容易ではなく、加工中に欠けが生じたり、割れたりするおそれがある。このため、従来は、加工の容易性を考慮して、縦横比が極端に異ならない、例えば、ラジアル方向の寸法を０．３５ｍｍとしたときにはタンジェンシャル方向の寸法を０．２５〜０．３ｍｍとなるような形状にコア１２が加工されている。
【００１５】
図６は、従来の磁気ヘッド２に使用される、断面形状がラジアル方向に長い長方形状に形成されたコア１２の断面寸法を示す平面図である。
【００１６】
このコア１２は、ラジアル方向を０．３５ｍｍの長さを有する長辺とし、タンジェンシャル方向を０．２５ｍｍの短辺とする形状に形成されている。そして、この磁気ヘッド２では、その断面面積は、０．０８７５ｍｍ2となっている。
【００１７】
【発明が解決しようとする課題】
従来、記録周波数がそれほど大きくない場合には、インダクタンスが多少大きくても、磁気ヘッド２の駆動に特に問題を生じない。しかし、記録密度が向上するにともない、１０ＭＨｚを超える記録周波数が必要になると、磁気ヘッド２の負担が大きくなるので、インダクタンスを低減する必要がある。しかし、記録のために必要なラジアル方向及びタンジェンシャル方向に必要な発生磁界エリアは、機械的な精度を上げなければ、小さくすることができない。また、磁気ヘッド２のコア１２のタンジェンシャル方向の寸法を極端に小さくする事により、インダクタンスを低下させることは、加工的な観点から容易ではない。
【００１８】
本発明は、上記課題を解決するためになされたものであり、記録周波数が大きくなった場合に、磁気ヘッドの駆動に問題を生じないために、インダクタンスを低減し得る磁気ヘッドを提供することを目的とする。
【００１９】
【課題を解決するための手段】
上記課題を解決するため、本発明の磁気ヘッドは、所定の軸方向長に形成されたコアと、該コアの周囲に装着されたコイルとを有し、光磁気ディスクに対してシーク方向であるラジアル方向および該ラジアル方向とは直交する方向であるタンジェンシャル方向にそれぞれ移動可能になった磁気ヘッドであって、該コアの断面形状が、前記ラジアル方向に長い６角形、７角形、８角形のいずれかに形成されており、前記コアの断面形状において、一対の辺が他の辺よりも短い短辺となっており、該短辺のそれぞれが、前記タンジェンシャル方向に沿って平行であることを特徴とする。
【００２０】
前記各短辺間の距離が０．３０ｍｍ〜０．４０ｍｍ、各短辺の長さが０．０８ｍｍ〜０．１２ｍｍに設定されていることが好ましい。
【００２１】
【発明の実施の形態】
以下、本発明の光磁気記録用磁気ヘッドについて、図面に基づいて説明する。
【００２２】
図１は、本発明の光磁気記録用の磁気ヘッドにおけるヘッド本体部１１を示しており、図１（ａ）は、その斜視図、図１（ｂ）は、分解斜視図を示している。
【００２３】
この磁気ヘッド２は、板上の平板部９と、この平板部９の表面から突出する柱状のコア１２とを有しており、コア１２の周囲には、コイル１０が巻回されている。このヘッド本体部１１は、図５に示す磁気ヘッド２と同様に、スライダー部８内に収容されており、磁気ヘッド２が図中に示すように、サスペンション３の先端部に支持されている。そして、スライダー部８の下面が光ディスク１に摺動するようになっている。
【００２４】
この磁気ヘッド２のヘッド本体部１１は、板体の平板部９と、この平板部９の表面の中央部上に垂直に支持された柱状のコア１２とを有しており、コア１２の周囲には、導線を巻回して構成されたコイル１０が装着されている。
【００２５】
コア１２は、図２（ａ）に示すように、断面形状がラジアル方向に長い略六角形状に形成されている。すなわち、対向する一対の辺を除く他の４辺の長さが等しくなっており、また一対の辺は他の辺よりも短い短辺になっている。各短辺の長さは等しくなっている。そして、各短辺がタンジェンシャル方向に略平行になるように配置される。略六角形状に形成されたコア１２のラジアル方向は、光ディスク１を回転駆動するスピンドルモータの軸触れによる光ディスク１のトラック偏心、対物レンズアクチュエータ５のレンズシフト等を考慮すると、０．３０ｍｍ〜０．４０ｍｍ程度の寸法が必要になる。このため、各短辺間の距離は、０．３０ｍｍ〜０．４０ｍｍになるように設定されている。また、タンジェンシャル方向に沿う短辺の長さは、０．０８ｍｍ〜０．１２ｍｍになるように設定されている。
【００２６】
そして、コア１２に装着されたコイル１０に交流電流を印加する事により、コア１２の先端部分から、交流磁界が発生される。
【００２７】
図２（ａ）に示すコア１２は、光ディスク１を回転駆動するスピンドルモータの軸振れによる光ディスク１のトラック偏心、対物レンズアクチュエータのレンズシフト等を考慮して、断面がラジアル方向に長い六角形状に形成されており、一対の各短辺間の距離は、０．３５ｍｍに設定されている。
【００２８】
また、タンジェンシャル方向については、各短辺の長さが０．０８ｍｍ、タンジェンシャル方向の最大長さについては、０．２５ｍｍの長さに設定されている。
【００２９】
図２（ｂ）及び（ｃ）は、それぞれコア１２の他の例を示す断面図であり、図２（ｂ）に示すコア１２では、一方の短辺の長さのみが０．１ｍｍとされている。また、図２（ｃ）に示すコア１２では、一方の短辺のみが０．１２ｍｍになっている。
【００３０】
いずれの場合も発生磁束エリアに必要なタンジェンシャル方向の寸法である、０．０８ｍｍ〜０．１２ｍｍ、ラジアル方向の寸法である、０．３ｍｍ〜０．４ｍｍを満足しており、図２（ａ）に示すコア１２の断面積は、０．０５７８ｍｍ2、図２（ｂ）に示すコア１２の断面積は０．０６１３ｍｍ2、図２（ｃ）に示すコア１２の断面積は０．０６４８ｍｍ2になっている。
【００３１】
したがって、図２（ａ）に示すコア１２では、図６に示す従来の磁気ヘッド２のコア１２に比較して、必要な発生磁界エリアを縮小することなく、コア面積が約３４％低減されている。同様に、図２（ｂ）では、約３０％、図２（ｃ）では、約２６％低減されている。
【００３２】
一般的に、インダクタンスは、磁気ヘッド２のコア１２のコア面積に比例して低減することが可能となるため、図２に示した各コア１２を使用した磁気ヘッド２では、約３０％のインダクタンスの低減を見込むことができ、従来の磁気ヘッド２に比較して、高い駆動周波数を達成することができる。
【００３３】
上記図２（ｂ）に示す断面寸法のコア１２を用いた磁気ヘッド２により、実際のインダクタンス及び磁界強度の評価を行った。
【００３４】
なお、この評価には、高さ１ｍｍのコア１２を有する全高２ｍｍの磁気ヘッド２に、直径４０μｍのエナメル被覆の導線を３８Ｔ巻回したコイル１０を装着したものを使用した。
【００３５】
その結果、図６に示すコア１２を使用した従来の磁気ヘッドでは、インダクタンスが３．２μＨ（１ＭＨｚ時）であったのに対し、本発明の形状を有する磁気ヘッドでは、インダクタンスが２．５μＨとなり、インダクタンスを２２％低減することができた。
【００３６】
磁気ヘッド２のコア１２のコア面積の低減に応じたインダクタンスの低減効果が得られなかったのは、両者について同形状のコイルを用いたためであると考えられる。
【００３７】
また、上記の磁気ヘッド２に０．２Ａの電流を流した時の、コア１２上から３０μｍでの垂直磁界強度をホール素子を用いて測定した結果、従来の磁気ヘッドでは、２５０Ｏｅであったのに対して、本発明の磁気ヘッドでは、２９０Ｏｅという結果が得られ、約２０％の強度増強効果が認められた。
【００３８】
以上に説明したように、本発明の磁気ヘッドでは、コアの断面寸法をラジアル方向に長い６角形状とし、ラジアル方向及びタンジェンシャル方向にそれぞれ必要な長さを確保したので、必要な磁界発生領域を確保しながら、インダクタンスを低減し、磁界強度を増強することができる。この結果、本発明の磁気ヘッドを使用した光磁気ディスク装置では、記録周波数の向上と、低消費電力化を図ることができる。本発明の磁気ヘッドのコアは、６角形状としたため、欠け等を生じることなく容易に製造することができる。
【００３９】
なお、本発明の磁気ヘッドは、コア１２の断面形状を６角形状に形成したものについて説明したが、このような６角形状のみならず、７角形状または８角形状等に形成したものを用いてもよい。
【００４０】
【発明の効果】
本発明の磁気ヘッドは、コアの断面形状が、ラジアル方向に長い略６〜８角形状に形成され、ラジアル方向及びタンジェンシャル方向にそれぞれ必要な長さを確保したので、必要な磁界発生領域を確保しながら、インダクタンスを低減し、磁界強度を増強することができる。この結果、本発明の磁気ヘッドを使用した光磁気ディスク装置では、記録周波数の向上と、低消費電力化を図ることができる。本発明の磁気ヘッドのコアは、６〜８角形状としたため、欠け等を生じることなく容易に製造することができる。ていることを特徴とする磁気ヘッド。
【図面の簡単な説明】
【図１】本発明の光磁気記録用の磁気ヘッドのヘッド本体部を説明する斜視図であり、（ａ）は、コイルを装着した状態の斜視図、（ｂ）は、その分解斜視図である。
【図２】（ａ）〜（ｃ）は、それぞれ、本発明の磁気ヘッドのコアの断面寸法の具他的な例を示す断面図である。
【図３】光磁気記録再生装置の概略構成を示しており、（ａ）は平面図、（ｂ）は、（ａ）のＡ−Ａ’線に沿う断面図を示している。
【図４】従来の光磁気記録用の磁気ヘッドを示す斜視図である。
【図５】（ａ）は図４のＸ方向の斜視図であり、（ｂ）はその分解斜視図である。
【図６】従来の磁気ヘッドのコアの断面寸法の例を示す断面図である。
【符号の説明】
１  光ディスク
２  磁気ヘッド
３  サスペンション
４  光ピックアップ
５  対物レンズアクチュエータ
６  磁気ヘッドアーム
７  カートリッジ
８  スライダー部
９  平板部
１０  コイル
１１  ヘッド本体部
１２  コア
【図１】
0003685735.tif 000002
【図２】
0003685735.tif 000003
【図３】
0003685735.tif 000004
【図４】
0003685735.tif 000005
【図５】
0003685735.tif 000006
【図６】
0003685735.tif 000007